(57)【要約】受信器へトランスポートストリーム（ＴＳ）の階層的優先順位マッピングを送信する方法、受信する方法、通知するためのシステム、送信器および受信器が開示される。異なる優先順位を有する異なるＴＳ間の同調情報を分割する方法。ワイヤレス階層的ブロードバンド伝送において、好ましくはＤＶＢ−Ｔに基づいて、１つの信号は２つのトランスポートストリーム、低優先順位（ＬＰ）ストリーム、高優先順位（ＨＰ）ストリームを搬送し、両者は各自所有のトランスポートストリーム識別によって識別される。１つのビットフラグは、識別子が提供する情報に関するトランスポートストリームの優先順位を示すために、ブロードバンド伝送のある記述子の中に加えられる。この優先順位指示または優先順位フラグの適用によって、受信器は、ブロードバンド伝送の管理情報に通知される各トランスポートストリームの階層情報を獲得することができる。
2006515132.tif 000002
【特許請求の範囲】
【請求項１】
階層的変調を適用するデジタルブロードバンド伝送を伝送する方法において、該方法は、
階層的優先順位が前記デジタルブロードバンド伝送で搬送されるトランスポートストリームにどのようにマッピングされるようになっているかに関する情報を提供するステップを備える方法。
【請求項２】
請求項１に記載の方法において、該方法は、さらに、前記デジタルブロードバンド伝送の異なる優先順位を有する第２トランスポートストリームから前記トランスポートストリームを、該優先順位に基づいて分割するステップを備える方法。
【請求項３】
請求項１に記載の方法において、該方法は、さらに、
前記トランスポートストリームを識別する情報を解析するステップ、
前記優先順位を識別する情報を解析するステップ、
前記トランスポートストリームを前記優先順位にマッピングするために解析された情報を結合するステップを備える方法。
【請求項４】
請求項１に記載の方法において、前記優先順位は、前記トランスポートストリームが低い優先順位または高い優先順位を備えるかどうかを指示するようになっていて、該優先順位は、前記デジタルブロードバンド伝送の信号に関する情報の階層的追加に基づいている優先順位である方法。
【請求項５】
請求項１に記載の方法において、前記情報を提供するステップは、前記優先順位を指示するデジタルブロードバンド伝送の記述子を伝送するステップを備える方法。
【請求項６】
請求項１に記載の方法において、ネットワーク情報テーブルは、前記トランスポートストリームを識別するようになっており、かつ、該ネットワーク情報テーブルの記述子は、前記トランスポートストリームの前記優先順位を識別するようになっている方法。
【請求項７】
請求項６に記載の方法において、前記記述子は、前記ネットワーク情報テーブルの地上波配信システム記述子を有する方法。
【請求項８】
請求項７に記載の方法において、前記ネットワーク情報テーブルの前記地上波配信システム記述子の優先順位フラグは、前記優先順位を識別するようになっている方法。
【請求項９】
請求項６に記載の方法において、前記ネットワーク情報テーブルに含まれるトランスポートストリームＩＤ（transport_stream_id）およびオリジナルネットワークＩＤ（original_network_id）とも前記トランスポートストリームを独自に識別する方法。
【請求項１０】
請求項１に記載の方法において、少なくとも２つのデータストリームは単一のデジタルブロードバンド伝送の上で変調されるようになっている方法。
【請求項１１】
請求項１０に記載の方法において、前記２つのストリームは、高い優先順位のストリーム、および、低い優先順位のストリームを有する方法。
【請求項１２】
請求項１１に記載の方法において、前記高い優先順位のストリームは、前記低い優先順位ストリームより高いロバスト性を含む方法。
【請求項１３】
請求項１１に記載の方法において、前記低い優先順位のストリームは、前記高い優先順位ストリームより高いビット速度の符号化を含む方法。
【請求項１４】
請求項１に記載の方法において、前記デジタルブロードバンド伝送は、マルチキャリア信号伝送を有する方法。
【請求項１５】
請求項１に記載の方法において、前記デジタルブロードバンド伝送は、ＤＶＢ伝送を有する方法。
【請求項１６】
請求項１５に記載の方法において、前記ＤＶＢ伝送は、ＤＶＢ−Ｔ伝送を有する方法。
【請求項１７】
請求項１に記載の方法において、前記デジタルブロードバンド伝送は、ワイヤレスデジタルブロードバンド伝送を有する方法。
【請求項１８】
請求項１７に記載の方法において、前記ワイヤレスデジタルブロードバンド伝送は、モバイル受信のためのＤＶＢ−Ｔ伝送を有する方法。
【請求項１９】
階層的変調を適用するデジタルブロードバンド伝送を受信する方法において、該方法は、
階層的優先順位は、前記デジタルブロードバンド伝送で搬送されるトランスポートストリームにどのようにマッピングされるようになっているかの情報を獲得する手段を備える方法。
【請求項２０】
階層的デジタルブロードバンド伝送を伝送する方法において、該方法は、
前記階層的デジタルブロードバンド伝送のトランスポートストリームの優先順位を指示する情報を提供するステップを備える方法。
【請求項２１】
階層的デジタルブロードバンド伝送を受信する方法において、該方法は、
前記階層的デジタルブロードバンド伝送のトランスポートストリームの優先順位を指示する情報を獲得するステップを備える方法。
【請求項２２】
請求項２１に記載の方法において、前記情報を獲得するステップは、前記優先順位を指示する前記デジタルブロードバンド伝送の記述子を受信するステップを備える方法。
【請求項２３】
請求項２２に記載の方法において、ネットワーク情報テーブルは、前記トランスポートストリーム識別するようになっており、かつ、前記ネットワーク情報テーブルの記述子は、前記トランスポートストリームの前記優先順位を識別するようになっている方法。
【請求項２４】
請求項２３に記載の方法において、前記記述子は、前記ネットワーク情報テーブルの地上波配信システム記述子を有する方法。
【請求項２５】
請求項２４に記載の方法において、前記ネットワーク情報テーブルの前記地上波配信システム記述子の優先順位フラグは、前記優先順位を識別するようになっている方法。
【請求項２６】
請求項２３に記載の方法において、前記ネットワーク情報テーブルに含まれるトランスポートストリームＩＤ（transport_stream_id）、および、オリジナルネットワークＩＤ（original_network_id）とも前記トランスポートストリームを独自に識別する方法。
【請求項２７】
請求項１、１９、２０、または、２１に記載の方法のステップを実行する手段を備えるデータ処理システム。
【請求項２８】
前記プログラムがコンピュータ上で動かされる場合、請求項１、２０、２１、または、２２に記載の方法のステップを行うようになっているコンピュータプログラムコード手段を備えるコンピュータプログラム。
【請求項２９】
コンピュータ読取可能メディア上で実施される請求項２８に記載のコンピュータプログラム。
【請求項３０】
前記プログラムがコンピュータ上で動かされる場合、請求項１、１９、２０、または、２１に記載の方法を実行するようになっているプログラムコードを有するコンピュータ読取可能メディア。
【請求項３１】
請求項２８に記載のコンピュータ実行可能プログラムを運ぶ搬送メディア。
【請求項３２】
階層的変調を適用するデジタルブロードバンド伝送を提供するシステムにおいて、階層的優先順位は、前記デジタルブロードバンド伝送の中で搬送されるトランスポートストリームにどのようにマッピングされるようになっているかに関する情報を提供する手段を備えるシステム。
【請求項３３】
請求項３２に記載のシステムにおいて、前記手段は、前記優先順位の値を指示するビットフラグを有するシステム。
【請求項３４】
請求項３３に記載のシステムにおいて、前記ビットフラグは、前記デジタルブロードバンド伝送の番組配列情報に含まれるシステム。
【請求項３５】
請求項３４に記載のシステムにおいて、前記番組配列情報は、ネットワーク情報テーブルを備え、および、前記ビットフラグは、前記ネットワーク情報テーブルの中で参照されるシステム。
【請求項３６】
請求項３５に記載のシステムにおいて、前記ネットワーク情報テーブルは、記述子を備え、および、前記ビットフラグは、前記記述子の中で参照されるシステム。
【請求項３７】
請求項３６に記載のシステムにおいて、記述子は、地上波配信システム記述子を備え、および、前記ビットフラグは、前記地上波配信システム記述子に含まれるシステム。
【請求項３８】
階層的変調を適用するデジタルブロードバンド伝送を送信する送信器において、
階層的優先順位は、前記デジタルブロードバンド伝送の中で搬送されるトランスポートストリームにどのようにマッピングされるようになっているかに関する情報を提供する手段を備える送信器。
【請求項３９】
階層的変調を適用するデジタルブロードバンド伝送を受信する受信器において、
階層的優先順位は、前記デジタルブロードバンド伝送の中で搬送されるトランスポートストリームにどのようにマッピングされるようになっているかに関する情報を獲得する手段を備える受信器。
【請求項４０】
請求項３９に記載の受信器において、前記手段は、前記優先順位の値を指示するビットフラグを有する受信器。
【請求項４１】
請求項４０に記載の受信器において、前記ビットフラグは、前記デジタルブロードバンド伝送の番組配列情報の中に含まれる受信器。
【請求項４２】
請求項４１に記載の受信器において、前記番組配列情報は、ネットワーク情報テーブルを備え、かつ、前記ビットフラグは、該ネットワーク情報テーブルの中で参照される受信器。
【請求項４３】
請求項４２に記載の受信器において、前記ネットワーク情報テーブルは、記述子を備え、かつ、前記ビットフラグは、前記記述子の中で参照される受信器。
【請求項４４】
請求項４３に記載の受信器において、記述子は、地上波配信システム記述子を備え、かつ、前記ビットフラグは、地上波配信システム記述子の中に含まれる受信器。
【請求項４５】
請求項３９に記載の受信器において、前記受信器は、モバイル受信器を有する受信器。
【請求項４６】
請求項４５に記載の受信器において、前記受信器は、モバイルＤＶＢ−Ｔ受信器を有する受信器。
【請求項４７】
請求項４６に記載の受信器において、前記受信器は、さらに、インタラクションのためのモバイルステーションを有する受信器。
【請求項４８】
前記階層的デジタルブロードバンド伝送のトランスポートストリームの優先順位を指示する情報を提供する手段を備える階層的デジタルブロードバンド伝送を送信する送信器。
【請求項４９】
前記階層的デジタルブロードバンド伝送のトランスポートストリームの優先順位を指示する情報を獲得する手段を備える階層的デジタルブロードバンド伝送を受信する受信器。
【請求項５０】
少なくとも２以上の基本的に別個のデータ伝送は、単一のデジタルブロードバンド伝送に包含されるようになっているような方法で、デジタルブロードバンド伝送を送信する方法において、
前記包含された単一のデジタルブロードバンド伝送の中の組織のレベルは、前記デジタルブロードバンド伝送の中で搬送されるトランスポートストリームにどのようにマッピングされるようになっているかに関する情報を提供するステップを備える方法。
【請求項５１】
少なくとも２以上の基本的に別個のデータ伝送は、単一のデジタルブロードバンド伝送に包含されるようになっているような方法で、デジタルブロードバンド伝送を受信する方法において、
前記包含された単一のデジタルブロードバンド伝送の中の組織のレベルは、前記デジタルブロードバンド伝送の中で搬送されるトランスポートストリームにどのようにマッピングされるようになっているかに関する情報を獲得するステップを備える方法。
【発明の詳細な説明】
【技術分野】
【０００１】
本発明は、通信リンク上の分散データのためのシステム、方法、および、ネットワークエンティティに関する。
【背景技術】
【０００２】
放送は、ラジオにおいておよそ１世紀の伝統を有する。ＴＶでさえ、歴史は、１９３０年代に戻る。放送業は、大衆へのエンターテイメントおよび情報の両方をもたらす時に、世界中で成功し続けている。
【０００３】
放送業における最近の動向は、ラジオとＴＶ両方のデジタル化である。デジタルラジオは、市場において大きな需要を得なかった。しかしながら、デジタルＴＶが新しい利益とサービスを消費者に運び、結果として、放送業界に新しい収入の流れを生むという希望が大きい。しかしながら、ＴＶサービスそれ自身の基本概念は、あまりおおきく変化していない。むしろ、ＴＶは、デジタルになっても、以前と同じようにある。
【０００４】
１９９０年の中盤以降において、我々はインターネットブームに出会った。新しいサービスとコンテンツのセットの全体は、短期で、革命的で、宣伝が熾烈な間に、消費者に利用可能となった。その期間は、ｅコマース、インターネットサービスプロバイダ（ＩＳＰｓ）、ポータル、アイボールゲーム（ｅｙｅｂａｌｌｓ  ｇａｍｅ）、ドットコムカンパニ、ニューエコノミーすら生まれた。アクセス技術（例えばＡＤＳＬ）と符号化技術（例えばＭＰＥＧ４ストリーミング）の両方における発展は、インターネットを通して家庭にビデオのようなリッチメディアコンテンツを運ぶことも可能になった。これらの技術と市場のブレークスルーにも拘わらず、メディアハウスは、その“無料”体質と海賊行為の脅威のために、それらのコンテンツがインターネットを通して配布されることにずっと乗り気ではなかった。インターネットは、その絶大な人気にも拘わらず、主要な広告プラットフォームとしての伝統的なメディアの役割に挑戦することはなかった。
【０００５】
放送は、放送業者に、それらの様々なサービス環境に適する様々なオプションから選択を許す柔軟なシステムである。広く言えば、信号のロバスト性に対してサービス・ビットレートの１つを交換することである。幾つかの例では、これは、”良い”受信状況で受信器が両方または全てを受信するような方法でデータを変調することにより、別個のデータ伝送を単一の伝送に基本的に包含することによって解決され、一方、より貧弱な受信状況にある受信器は、さらにロバストコーディングされたデータのみを受信するかもしれない。受信器が、既に知らされた信号に関する情報を集める例において、そのような伝送を、受信する場合に問題が生じる。単一の伝送に包含された伝送のようなものの区別が無い。解析された情報に基づいて、受信器は、もっとロバスト性のある信号伝送を有する信号を見つけることが出来る。その他の伝送は、受信器に完全に知られていない。従って、多くのサービスまたは伝送されたサービスの部分は、利用できず、またさらに、もっと悪いケースは、それらは全く知られない。これは、そのような伝送を識別する必要性を引き起こした。
【発明の開示】
【発明が解決しようとする課題】
【０００６】
放送の固有の様々な制限のために、従来技術のシステムに関係するこれらの、および、他の問題を回避し、かつ、和らげることが望ましい。従って、トランスポートストリームと階層的優先順位の間の結合状態を指示する必要がある。
【課題を解決するための手段】
【０００７】
さて、階層的優先順位モードと伝送信号で搬送されるストリームの間のマッピングを指示に対する方法と解決が発明された。
【０００８】
本発明の一つの形態によれば、階層的変調を適用するデジタルブロードバンド伝送用の受信方法、送信方法、システム、送信器および受信器が提供される。どのように階層的優先順位がデジタルブロードバンドシステムにおけるデジタルブロードバンド伝送の中に搬送されるトランスポートストリームにマッピングされるようになっているかに関する情報が提供される。
【発明を実施するための最良の形態】
【０００９】
本発明のより良い理解のための参照は、次の説明でなされ、添付の図に関連して採り上げられ、そしてその範囲は、添付しているクレームで指摘されるだろう。添付の図に関して、本発明は例示の方法のみで述べられている。
【実施例】
【００１０】
デジタルビデオ放送（ＤＶＢ：Digital Video Broadcasting）は、高帯域広帯域伝送チャンネル（high bandwidth broadband transmission channel）を提供し、そこでは、配信は、典型的に、ブロードキャスト、マルチキャスト、または、代替的にユニキャストである。その高帯域伝送チャンネルは、そのようなシステムのユーザに様々なサービスを提供する。様々なサービスを得るための識別は、適当なサービスモデルと受信器に集中させることが必要である。ＤＶＢは、適用可能な原理を提供し、そして、地上デジタルビデオ放送（ＤＶＢ−Ｔ：Terrestrial Digital Video Broadband）が本発明の実施例において適応されるのが好ましい。
【００１１】
デジタルブロードバンド伝送は、莫大な量のデータ情報を受信器に与える。デジタルブロードバンド伝送の本質は、伝送は典型的に、ブロードキャスト、マルチキャストを適用する複数の受信器へのストリーミング配信であって、あるいはまた、単一の受信器に対するユニキャストポイントツーポイント配信でもある。受信器は、莫大な伝送データ情報の中に適切な情報を見つけられるべきである。関係のあるサービス、および／または、受信器に提供可能なサービスまたは受信器によって要求されるサービスを受信することができるために、受信器は、あるパラメータを要求する。なぜなら、デジタルブロードバンド伝送は、たくさんのデータを配信することが出来るので、それは受信器にサービス、および／または、伝送情報の中のサービス部分を発見させることが可能なパラメータを配信できる。これらのパラメータは、デジタルブロードバンド伝送によって、受信器に伝送される。受信器は、それらを認識し、パラメータに従ってそれ自身を修正することができる。それ故、受信器は、ブロードバンド伝送の中の莫大なデータから関係するデータを識別することによって、サービスの受信をすぐに開始することが出来る。ブロードバンド配信のデータ配信リンクは、地上のリンクであり、モバイル、ワイヤレス地上リンクが好ましい。デジタルブロードバンド伝送システムは、受信器とのインタラクションを有しても良いが、そのインタラクションは、必須の要件ではない。
【００１２】
ここで使われるように、ブロードバンド伝送または伝送は、ブロードキャスト、マルチキャスト、またはユニキャストを参照し、そしてデータは、ＩＰプロトコール−コード化されたデータを含むことができるが、それに制限はされない。
【００１３】
本発明の好ましい実施例は、受信器への信号の中に搬送されるトランスポートストリーム（ＴＳ）の階層的優先順位（例えば、ＨＰ、ＬＰ）マッピングを通知するための、送信方法、受信方法、システム、送信器および受信器を提供する。本発明の好ましい実施例は、異なる優先順位を有する異なるＴＳ間の情報を分割して同調する方法を提供する。ワイヤレス階層的ブロードバンド伝送においては、好ましくは、ＤＶＢ−Ｔに基づいて、１つの信号が２つのトランスポートストリームを搬送し、低い優先順位（ＬＰ）のストリームと高い優先順位（ＨＰ）のストリーム、および、両方が、それらが所有する各々のトランスポートストリームＩＤ（transport_stream_id）で識別されるべきである。ある記述子が提供する情報上のトランスポートストリームの階層を指示するために、１つのビットフラグはブロードバンド伝送のその記述子に加えられる。この優先順位指示または優先順位フラグの適用によって、受信器は、ブロードバンド伝送の管理情報の中で知らされる各トランスポートストリームの階層的マッピングを得ることが出来る。
【００１４】
更に好ましい実施例は、トランスポートストリーム（ＴＳ）の階層的優先順位（例えば、ＨＰ、ＬＰ）を通知するための記述子の中にフィールドを設定することによって、地上波配信システム記述子（terrestrial_delivery_system_descriptor）のための修正を与え、この記述子はそのトランスポートストリームに関係付けられる。階層的ブロードバンド伝送においては、１つのシグナルは、２つの伝送ストリーム（ＴＳ）、低い優先順位（ＬＰ）のストリームと高い優先順位（ＨＰ）のストリーム、を搬送する。ＬＰとＨＰストリームの両方は、独自のトランスポートストリームＩＤで識別されるべきである。階層的伝送が使用されるケースにおけるＤＶＢ−Ｔストリームの中にトランスポートストリームＩＤをマッピングする方法のこのゆがみは、従って、克服される。
【００１５】
更なる好ましい実施例は、１つのビットフラグを地上波配信システム記述子（terrestrial_delivery_system_descriptor）に加えることによるＨＰとＬＰストリームのマッピング問題のための解決策を与える。ビットフラグは、トランスポートストリーム（ＴＳ）の階層的優先順位を示し、それから、関係する記述子が情報をあちこちに与える。この“優先順位フラグ（priority_flag）”手段によって、統合された受信器デバイス（ＩＲＤ：Integrated Receiver Device）は、ＮＩＴで知らされた各トランスポートストリーム（ＴＳ）の階層的マッピングを得ることが出来る。
【００１６】
有利にも、トランスポートストリームＩＤ（transport_stream_id）は、ＤＶＢ−Ｔ階層的モードストリームに、例えば、低い優先順位（ＬＰ）と高い優先順位（ＨＰ）に関連付けられる。本発明の実施例は、既存のＤＶＢ−Ｔ受信器との互換性を考慮している。これは、主に、本発明の実施例は、地上波配信システム記述子（terrestrial_delivery_system_descriptor）の中の“将来使用のための保存”ビットを利用し、従って、既存機器にいかなる制約も設定しない。
【００１７】
本発明の幾つかの実施例は、階層的変調を適用する。階層的変調のための典型的環境は、ＤＶＢ−Ｔである。階層的ブロードバンド伝送は、異なる優先順位を有する２つの個別のトランスポートストリームを少なくとも有する。階層的変調においては、２つの個別のデータストリームは、単一のＤＶＢ−Ｔ信号に変調される。１つのＤＶＢ−Ｔストリームは、その時、１つの“高い優先順位”（ＨＰ）ストリームと１つの“低い優先順位”（ＬＰ）ストリームを有する。“良い”受信状況にある受信器は、両方のストリームを受信でき、一方、貧弱な受信状況にある受信器は、“高い優先順位”ストリームのみを受信する。放送業者は、２つの完全に異なるサービスを持った２種のＤＶＢ−Ｔ受信器をターゲットにすることが出来る。典型的には、ＬＰストリームは、高いビットレートであるが、ＨＰストリームと比べて低いロバスト性である。階層的ブロードバンド伝送は、特にモバイルやポータブル受信器に関係する。有利にも、ＬＰストリームとＨＰストリームは、ストリームの優先順位（高いか低いか）および対象となるトランスポートストリームの通信を識別する記述子の中に含まれるフラグと共に識別される。それ故、受信器は、階層的ブロードバンド伝送のストリームを識別し、分割することも出来る。ここで使用されたように、階層的優先順位は、特に２つの優先値または特性とともにストリームを参照し、かつ、様々な特性を含めることが可能であり、低い優先順位と高い優先順位に制限はされない。
【００１８】
本発明の幾つかの実施例は、番組特定情報（ＰＳＩ：Program Specific Information）と番組配列情報（ＳＩ：Service Information）テーブルに適用する。ＰＳＩとＳＩは、ＭＰＥＧ−２伝送の中の付加的な構造で使用される一組のテーブルを形成する。ＰＳＩは、番組配列情報（ＳＩ）ＥＴＳＩ  ＥＮ  ３００  ４６８のためのＭＰＥＧ−２システム標準ＩＳＯ／ＩＥＣ１３８１８−１、および、ＤＶＢ伝送の中のＳＩで定義される。これらのテーブルは、ＭＰＥＧ−２伝送で配送されるサービスに関する異なる情報を送るために使用される。
【００１９】
ＭＰＥＧ−２伝送は、システムレイヤで制御され、システムレイヤは、データを多重化、非多重化するために要求される情報を提供する。この情報は、番組特定情報（ＰＳＩ）に含まれ、番組特定情報（ＰＳＩ）は、ＭＰＥＧ−２伝送の中に搬送される全てのサービスのための内容のテーブルとして作用する。更に、ＤＶＢ組織は、ＤＶＢ標準をサポートするいかなるネットワークが、それらの伝送の中のあるＳＩテーブルを最小で使用すべきことを規定する。そのようなテーブルの例は、ネットワーク情報テーブル（ＮＩＴ：Network Information Table）である。
【００２０】
本発明の幾つかの実施例は、ネットワーク情報テーブル（ＮＩＴ）に適用される。ＮＩＴは、ＴＳのグループ化、および、関係する変調情報を与える。ＮＩＴは、統合受信デバイス（ＩＲＤ）の設定手続間に使用され、関係のある設定情報は、不揮発性メモリに保存される。ＮＩＴは、変調情報の変化を通知するためにも使用される。次のルールが本発明の実施例におけるＮＩＴに適用される。
【００２１】
ａ）実際の配信システムはＮＩＴを伝送する。
【００２２】
ｂ）実際の配信システムを記述するＮＩＴは、確かであることが考慮される。例えば、実際の伝送システムのための適用可能な伝送システム記述子を含むかどうかが考慮される。放送配信システム境界の幾つかの遷移においては、ＴＳの中で搬送されるＮＩＴは、放送チェーンにおける上位ネットワークを記述することが許される。異なる機構は、実際の配信システムのための関係する同調情報（tuning information）を獲得するために、ＩＲＤによって選定されるべきである。例えば、衛星ＩＲＤが、実際の配信システムのための衛星配信システム記述子を受信するなら、有効である。ケーブルＩＲＤが、実際の配信システムのためのケーブル配信システム記述子を受信するなら、有効である。ケーブルＩＲＤが実際の配信システムのための衛星配信システム記述子を受信するなら、ケーブルＩＲＤのために無効と仮定される。
【００２３】
ｃ）実際の配信システムのための有効なＮＩＴが、ＳＩビットストリームの中に存在するなら、それは、実際の配信システムの全てのＴＳを典型的に記入する。
【００２４】
ｄ）ＳＩストリームは、ＮＩＴデータやＮＵＬＬパケットを搬送する１０秒につき、少なくとも８つのＴＳパケットを有する。この規則は、放送配信システム境界においてＮＩＴの置換を単純化する。この単純な置換機構と共に、ローカル周波数制御は、相対的に低価格機器で可能である。
【００２５】
ＳＩは、伝送システムの概念に関連する２つのラベルを使用する。即ち、ネットワークＩＤ（network_id）とオリジナルネットワークＩＤ（original_network_id）である。ＴＳが起源を有する配信システムと別の配信システムに転送されたとしても、後者は、主に、ＴＳ内に含まれる、サービスの独自の識別をサポートすることを予定している。ＴＳは、独自に、オリジナルネットワークＩＤ（original_network_id）／トランスポートストリームＩＤ（transport_stream_id）の経路を通して参照付けられる。あるサービスは、独自に、オリジナルネットワークＩＤ（original_network_id）／トランスポートストリームＩＤ（transport_stream_id）の経路を通して参照付けられる。従って、ネットワークＩＤ（network_id）は、この経路の一部ではない。あるサービス（ＴＳの中に含まれる）が別の配信システムに伝送される場合、ネットワークＩＤ（network_id）のみが変化し、一方、オリジナルネットワークＩＤ（original_network_id）は影響を受けないままである。更なるＮＩＴの技術の詳細は、ＥＴＳＩ  ＥＮ  ３００  ４６８、例えば、ＥＴＳＩ  ＥＮ  ３００  ４６８  Ｖ１．５．１最終版（２００３−０１）のページ１７である。
【００２６】
本発明の幾つかの実施例は、記述子を適用する。記述子は、ブロードバンド伝送における機能によって、代替的に、識別子または標識として参照され得る。ＤＶＢ標準は幾つかの記述子を定義し、そしてそれは、受信器への情報を知らせるために使用されるＰＳＩ／ＳＩテーブルの中の付加的なフィールドである。標準仕様：ＥＮ  ３００  ４６８−デジタルビデオ放送；ＤＶＢシステムおよびＥＴＳＩ  ＴＲ  １０１  １２１−デジタルビデオ放送（ＤＶＢ）の中の番組配列情報（ＳＩ）のための仕様；番組配列情報（ＳＩ）の実施と使用のガイドラインは、記述子に関する更なる技術上の情報を提供する。記述子の例は、地上波配信システム記述子（terrestrial_delivery_system_descriptor）である。
【００２７】
配信システム記述子は、衛星配信システム記述子（satellite_delivery_system_descriptor）、ケーブル配信システム記述子（cable_delivery_system_descriptor）および地上波配信システム記述子（terrestrial_delivery_system_descriptor）である。他の配信システム用記述子は定義されるかもしれない。配信システム記述子は、ネットワークの中の各伝送多重送信用の物理パラメータを伝送するために使用される。典型的には、１つ（かつ１つのみ）の配信システム記述子は、各ループに現れる。ＩＲＤは、ＴＳへ素早く同調するために、配信システム記述子を解釈することが出来る。更なる技術詳細は、標準仕様ＴＲ１０１  ２１１、例えば、サブクラス４．１．１と５．３．１に見られる。
【００２８】
幾つかの記述子や識別子は、技術仕様におけるアンダーバー文字、例えば、terrestrial_delivery_system_descriptorによって見られる。
【００２９】
まだ、ＮＩＴテーブルと地上波配信システム記述子（terrestrial_delivery_system_descriptor）に適用される本発明の更なる実施例は、次に提供される。単一のＤＶＢ−Ｔトランスポートストリーム（デフォルトケース）のマッピングのサポートはＥＮ３００  ４６８に見られる。しかし、ＤＶＢ−Ｔネットワークは、階層的モードを使用する場合、階層的モードが２つのトランスポートストリームを好ましくは含む原則と異なり、１つのトランスポートストリームをＲＦチャンネルにマッピングするために、問題が生じる。これは、ＩＲＤがＮＩＴで知らされたトランスポートストリームＩＤ（transport_stream_id）がＬＰストリームに属するのかＨＰストリームに属するかどうかを知ることが出来ないという状況を導く。
【００３０】
下記に示す表１は、ＮＩＴテーブルの構造の例を表す。地上波配信システム記述子（terrestrial_delivery_system_descriptor）は、下記に示す表２（ＥＴＳＩ  ＥＮ  ３００  ４６８  Ｖ１．５．１最終版（２００３−０１）のページ４４）に典型的に表され、ＮＩＴの第２記述子ループに搬送される。地上波配信システム記述子（terrestrial_delivery_system_descriptor）は、ＮＩＴの第２記述子ループにおいて参照され、そしてそれは、表内で強調される。
【００３１】
【表１】
2006515132.tif 000003
【００３２】
第１の“将来使用のための保存”フィールドからの１つのビット、優先順位フラグ（priority_flag）として命名されるのが好ましい、表２の例で強調されるテキストを見ること、は、修正され、この識別子に関係するトランスポートストリームが低い優先順位（ＬＰ）か高い優先順位（ＨＰ）を有するかどうかを示すように設定される。この通知形式は、表３の例で詳細に説明されている。
【００３３】
【表２】
2006515132.tif 000004
【００３４】
【表３】
2006515132.tif 000005
【００３５】
次に、本発明の更なる実施例は、トランスポートストリームＩＤ（transport_stream_id）を、そのようなストリームの優先順位に適用し、マッピングし、ブロードバンドデータ伝送受信に基づいた階層の中のＮＩＴと優先順位を解析することが述べられる。
【００３６】
図１は、トランスポートストリームを、ＮＩＴによって参照される同調パラメータと階層情報にマッピングするＮＩＴテーブルの例である。このように、ＮＩＴがトランスポートストリームを同調パラメータと優先順位フラグ（priority_flag）でどのようにマッピングするかの例が表されている。ＴＳは、オリジナルネットワークＩＤ（original_network_id）とトランスポートストリームＩＤ（transport_stream_id）で示される。ＴＳは、ＮＩＴのトランスポートストリームループの中で通知される。同調パラメータと優先順位フラグ（priority_flag）は、地上波配信システム記述子（terrestrial_delivery_system_descriptor）の中で通知される。２つの最初に通知されるトランスポートストリーム（ＴＳ）は、同じ信号（中央周波数４９８ＭＨｚ）で搬送される。例においては、これらのトランスポートストリーム間の違いは、階層的優先順位およびトランスポートストリームＩＤ（transport_stream_id）の値のみである。第１のもの（トランスポートストリームＩＤ（transport_stream_id）＝１）は、高優先順位（ＨＰ）トランスポートストリームである。優先順位フラグ（priority_flag）が１に設定されることが図１で表される。第２のもの（トランスポートストリームＩＤ（transport_stream_id）＝２）は、低優先順位（ＬＰ）トランスポートストリームである。優先順位フラグ（priority_flag）が０に設定されることが図１で表される。
【００３７】
更に、図１を参照すると、地上波配信システム記述子（terrestrial_delivery_system_descriptor）の中に優先順位フラグ（priority_flag）を加えることによって、ＮＩＴの中で通知されるトランスポートストリームは、それらの相当する階層情報と共にもマッピングされる。
【００３８】
図２の例は、本発明の更なる実施例に従って、ＮＩＴとパラメータを解析する方法を説明する。その処理は、ステップ２００で開始する。デジタルブロードバンドネットワーク（ＤＢＮ）が作動し、ＩＲＤは、そのブロードバンド伝送を受信するためにスイッチが入れられる。ＩＲＤは、幾つかのＰＳＩ／ＳＩテーブルを識別し、それ故、通知されたトランスポートストリームに関する情報を取得する。ＩＲＤは、ＮＩＴを受信し、識別する。ＩＲＤは、ＮＩＴの中で参照される地上波配信システム記述子（terrestrial_delivery_system_descriptor）をも見つけ、ステップ２０１では、ＩＲＤは、ＮＩＴのトランスポートストリームループからトランスポートストリームＩＤ（transport_stream_id）とオリジナルネットワークＩＤ（original_network_id）を解析する。ステップ２０２では、ＩＲＤは、解析されたトランスポートストリームＩＤ（transport_stream_id）のための地上波配信システム記述子（terrestrial_delivery_system_descriptor）を解析する。その地上波配信システム記述子（terrestrial_delivery_system_descriptor）は、優先順位フラグ（priority_flag）を含む。ステップ２０３では、ＩＲＤはステップ２０１で解析されたトランスポートストリームＩＤ（transport_stream_id）およびステップ２０２で解析されたパラメータを保存する。それ故、トランスポートストリームＩＤ（transport_stream_id）とオリジナルネットワークＩＤ（original_network_id）は、同調パラメータと階層情報の中にマッピングされ、および、それらは、ＩＲＤのメモリに保存され得る。ステップ２０４では、トランスポートストリーム内の全てのアイテムが解析されたかどうかがチェックされる。もしされないなら、その処理は、次に、ステップ２０５におけるＮＩＴのトランスポートストリームループのトランスポートストリームＩＤ（transport_stream_id）とオリジナルネットワークＩＤ（original_network_id）の対に続く。このように、ステップ２０１〜２０４は、ＮＩＴのトランスポートストリームの全トランスポートストリームＩＤ（transport_stream_id）とオリジナルネットワークＩＤ（original_network_id）対に実行される。もし、トランスポートストリームの中の全ての関係するアイテムが解析されるなら、その処理は、ステップ２０６で終了する。有利にも、ＩＲＤは、階層的伝送における異なる優先順位を伴うトランスポートストリームを識別する方法の認識を獲得する。さらに有利にも、ＩＲＤは、お互いから優先順位ストリームを分割することも出来る。
【００３９】
図３は、異なる優先順位を伴うＴＳ間の同調情報を分割する方法を表す。その処理は、ステップ３００でスタートする。デジタルブロードバンドネットワーク（ＤＢＮ）は作動し、ＩＲＤは、ＤＶＢ−Ｔを階層的ブロードバンド伝送を受信するためにスイッチが入れられる。ＩＲＤは、幾つかのＰＳＩ／ＳＩテーブルを認識し、それ故、通知されるトランスポートストリームに関する情報を取得する。ステップ３０１では、ＩＲＤはＳＩデータを解析する。ＩＲＤは、ＮＩＴのトランスポートストリームループから全トランスポートストリームＩＤ（transport_stream_id）とオリジナルネットワークＩＤ（original_network_id）を解析する。ステップ３０２では、ＩＲＤは、優先順位情報を解析する。ＩＲＤは、解析した全トランスポートストリームＩＤ（transport_stream_id）のための地上波配信システム記述子（terrestrial_delivery_system_descriptor）を解析する。その地上波配信システム記述子（terrestrial_delivery_system_descriptor）は、優先順位フラグ（priority_flag）を含む。ステップ３０３では、ＩＲＤは、ＴＳ間の同調情報を異なる優先順位で分割することが出来る。ＩＲＤは、ステップ３０１で解析されたトランスポートストリームＩＤ（transport_stream_id）と、ステップ３０２で解析されたパラメータを保存する。それ故、トランスポートストリームＩＤ（transport_stream_id）とオリジナルネットワークＩＤ（original_network_id）は、同調パラメータと階層情報の中にマッピングされ、そのマッピングは、ＩＲＤのメモリに保存され得る。トランスポートストリーム内の全てのアイテムが解析されたかどうかがチェックされるのが好ましい。このように、ステップ３０１〜３０２は、ＮＩＴのトランスポートストリームループの全トランスポートストリームＩＤ（transport_stream_id）とオリジナルネットワークＩＤ（original_network_id）に実行される。有利にも、ＩＲＤは、お互いから優先順位ストリームを分割することも出来る。ステップ３０４では、ＩＲＤは、ＨＰ  ＴＳを受信することが出来る。従って、もし必要なら、ＩＲＤは、高い優先順位のストリームのみに焦点を当てることが出来る。伝送状況が”良い”でない、例えば、干渉がＤＶＢ−Ｔの受信に生じるなら、これは関係がある。従って、必要なら、ＩＲＤは、低い優先順位のストリームのみに焦点を当てることが出来る。ＬＰがＩＲＤに利用可能であるという指示と識別に基づいて、ＬＰ  ＴＳが、ＨＰ  ＴＳより受信することが困難であっても、これは有利である。例え、受信状況が貧弱であり、または、”そんなに良くない”、かつ、幾つかの干渉が受信に生じていても、階層的ＤＶＢ−Ｔ伝送がＬＰ  ＴＳを有するという情報は少なくとも獲得することが出来る。過酷な状況下では、ＬＰ  ＴＳは、幾つかの干渉を有する。その上、ＨＰとＬＰの両方は、ＩＲＤによって受信される。
【００４０】
図４の例は、階層的優先順位が、階層的ブロードバンド伝送の中のトランスポートストリームにどのようにマッピングされるかを示す方法を表す。ステップ４００では、ＤＢＮは作動し、ＤＶＢ−Ｔ伝送のためのサービスデータを処理する。ステップ４０１では、ＤＢＮは、ＳＩ／ＰＳＩデータを提供する。優先順位フラグ（priority_flag）と共に地上波配信システム記述子（terrestrial_delivery_system_descriptor）は、ＮＩＴの第２識別子の中のＰＳＩ／ＳＩテーブル内に含まれる。このように、ＮＩＴ優先順位情報は、ステップ４０２において提供される。ＤＢＮは、ステップ４０３でのＨＰとＬＰ  ＴＳも伝送する。記述子に基づいて、ＤＢＮは、高いおよび低い優先順位ストリームのための階層的ストリームを分類することができ、さらに、その分類を表示し、指示することが出来る。特に、ＩＲＤは、受信状況が最適でなくても、ＬＰストリームを見つけることが出来る。
【００４１】
本発明の幾つかの実施例は、図５のシステムに適用される。図５のネットワークは、階層的ブロードバンド伝送の中のＴＳの階層的優先順位マッピングの通知に相当する地上波配信システム記述子（terrestrial_delivery_system_descriptor）を伝送するように構成される。統合受信デバイス（ＩＲＤ）は、デジタルブロードバンドネットワーク（ＤＢＮ）の適用される範囲下で作動するのが好ましい。代替的に、ＩＲＤは、エンドユーザターミナル（ＥＵＴ）として参照される。ＩＲＤは、ＤＢＮが提供するサービスに基づいたＩＰを受信することが出来る。ＤＢＮは、ＤＶＢ、好ましくは、ＤＶＢ−Ｔに基づいており、ＤＢＮの伝送は、階層的伝送同調に基づくＴＳを含む。伝送データがＤＢＮで処理される前に、ＤＢＮは、伝送されるその伝送の修正手段を備える。ＤＢＮは、ＳＩ／ＰＳＩデータを提供する。優先順位フラグ（priority_flag）と共に地上波配信システム記述子（terrestrial_delivery_system_descriptor）は、ＮＩＴの第２識別子ループの中のＰＳＩ／ＳＩテーブルの中に含まれる。従って、ＮＩＴ優先順位情報は提供される。ＤＢＮは、ＨＰとＬＰ  ＴＳをも伝送する。識別子に基づいて、ＤＢＮは、高／低優先順位ストリームのための階層的ストリームを分類することができ、さらに、その分類を表し、示すことができる。特に、ＩＲＤは、たとえ受信状況が最適でなくてもＬＰストリームを発見することができる。ＩＲＤは、デジタルブロードバンド伝送内で搬送される各ＴＳの階層的優先順位を識別することができる。ＩＲＤは、前もって、そのような識別子や伝送を解釈するように修正される必要は必ずしも無いが、放送伝送を受信する間に受信器がそれに適用するようになる、あるいは、なされていることである。ＩＲＤは、手続を識別し、マッピングするためのいかなるインタラクションも必要しない。ＤＢＮ伝送は、ＤＶＢ−Ｔに基づいたＩＲＤに対するワイヤレス、または、モバイル伝送である。
【００４２】
図４の例に更に言及すると、ＩＰカプセル化を含むヘッドエンド（ＨＥ）は、マルチプロトコールカプセル化（ＭＰＥ）を実行し、データコンテナに基づいたＭＰＥＧ−ＴＳ（Moving Picture Experts Group_Transport Stream）の中にＩＰデータを配置する。ＨＥは、テーブルの発生、テーブル間の結合、および、テーブルの修正を実行する。
【００４３】
そのように生産されたＴＳは、ＤＶＢ−Ｔデータリンクの上を伝送される。ＩＲＤは、デジタル的に放送データを受信する。ＩＲＤは、階層的ブロードバンド伝送と可能性のある他のＴＳに従って、記述子とＴＳをも受信する。ＩＲＤは、優先順位指示を有するＴＳを識別することができる。このように、ＤＢＮは、階層的伝送のＴＳの優先順位を通知する。ＩＲＤは、受信したＮＩＴからトランスポートストリームＩＤ（transport_stream_id）を解析する。また、ＴＳの階層的優先順位に従って、ＩＲＤは、ＴＳを分類することができる。さらに、ＩＲＤは、ＴＳ内に階層的優先順位情報、例えば、トランスポートストリームＩＤ（transport_stream_id）とオリジナルネットワークＩＤ（original_network_id）は、同調パラメータと階層情報の中にどのようにマッピングされるかに関する情報をマッピングすることができる。そのマッピング結果は、ＩＲＤのメモリの中に保存される。更なる動作は、上述の図１〜４と表１〜３で述べられる。
【００４４】
図６の例は、統合受信デバイス（ＩＲＤ）の機能ブロック図を表し、または、代替的に受信器またはエンドユーザターミナル（ＥＵＴ）として言及される。ＩＲＤ受信器は、地上波配信システム記述子（terrestrial_delivery_system_descriptor）に一致するように復調する。ＩＲＤは、処理ユニットＣＰＵ、ブロードバンド受信器部分、または、代替的に、ＤＶＢ−Ｔ信号のようなマルチキャリアブロードバンド信号、および、ユーザインタフェースＵＩとして参照される。ブロードバンド受信器部分とユーザインタフェースＵＩは、処理ユニットＣＰＵに結合される。ユーザインタフェースＵＩは、ユーザが受信器を使用できるようにするディスプレイとキーボードを備える。加えて、ユーザインタフェースＵＩは、オーディオ信号を受信し、生成するためのマイクロフォンとスピーカを備える。ユーザインタフェースＵＩは、（示されていない）音声認識装置をも備える。処理ユニットＣＰＵは、（示されていない）マイクロプロセッサ、メモリおよびソフトウエアＳＷを備え得る。ソフトウエアＳＷは、メモリに保存される。マイクロプロセッサは、ソフトウエアＳＷに基づいて、ＴＳの階層的優先順位の識別、あるＴＳ共に階層的優先順位の接続、異なる優先順位を有するＴＳの分割、ユーザインタフェースＵＩにおける出力表示、およびユーザインタフェースＵＩから受信した入力の読み込みのような、受信器の動作を制御する。その動作は、上述の図１〜５および表１〜３に述べられる。例えば、（示されてない）ハードワイアは、信号を受信する手段、復調手段、ＮＩＴ検出手段、地上波配信システムＩＤ（terrestrial_delivery_system_descriptor）を検出する手段、トランスポートストリームＩＤ（transport_stream_id）とオリジナルネットワークＩＤ（original_network_id）を解析する手段、トランスポートストリームＩＤ（transport_stream_id）解析のための優先順位フラグ（priority_flag）を含む地上波配信システムＩＤ（terrestrial_delivery_system_descriptor）を解析する手段、トランスポートストリームＩＤ（transport_stream_id）とオリジナルネットワークＩＤ（original_network_id）を同調パラメータと階層情報の中にマッピングする手段、および、メモリの中に情報を保存する手段を備える。たとえ、放送された情報が動的に変更し、ＩＲＤは、ＮＩＴで通知された情報に頼らなければならなくても、ＩＲＤは、異なる優先順位を有するＴＳ間の同調情報を有益に分割することができる。
【００４５】
さらに、図６を参照すると、代替的に、（示されてない）ミドルウエアまたはソフトウエアの実施が適用される。ＩＲＤは、ユーザが楽に運ぶことができるハンドヘルドデバイスになり得る。有利にも、ＩＲＤは、放送受信器またはＤＶＢ−Ｔ放送伝送ストリームを受信するマルチキャリア信号受信器（これは、代替的なオプションとしてのみであり、点線ブロックによって図６に示される）を有する携帯電話を備えることができる。それ故、ＥＵＴは、サービスプロバイダと相互作用し得る。
【００４６】
有利にも、他の手段によってＨＰ／ＬＰマッピングを提供するために、付加的なテーブルを解析する付加的な時間は必要とされない。可能性のある周波数範囲、例えばＵＨＦ、で繰り返される可能性のあるどの同調の組合せのため信号スキャンを消費する時間も必要とされない。
【００４７】
受信器は、有益にも、受信器が焦点を当てたい階層的ＤＶＢ−Ｔ伝送のそれらのストリームに焦点を当てることができる。従って、ＬＰストリームは、無視されず、少なくとも識別される。電気消費の観点への助成は、付加的な周波数スキャンを回避し、または、受信したＤＶＢ−Ｔ伝送の解析することによって成し遂げられる。受信器は、デジタル放送の他の記述子を受信し、認識するために使用される相当手段を適用することによって、決められた記述子を解釈することのみが必要とされる。
【００４８】
本発明の幾つかの実施例は、ポータブル受信、例えば、ＩＰデータキャスト受信器、をサポートし、モバイルハンドヘルド受信器または送信器のために機能し得る。階層的優先順位情報を有するトランスポートストリームのマッピングの指示は、本ケースに有益である。典型的には、モバイルＤＶＢ−Ｔ受信器は電力消費の観点に苦しむ。更に、受信状況は変化し、典型的に生じる幾つかの干渉は、モバイル受信を干渉するブロードバンド伝送である。それ故、階層的変調は、少なくともある重要なストリームが配信されるので、モバイル環境に有利である。有利にも、階層的ブロードバンド伝送において、ストリームは有利にも、受信器に示され、モバイル受信器、電力消費に影響を受けやすいものは、階層的ブロードバンド伝送ストリームを識別することができる。モバイル受信器は、周波数の付加的なスキャン、ストリームの付加的なスキャンまたはストリームのパラメータの一般的に付加的なスキャンのようないかなる電力消費動作を行う必要は無い。また、最初の受信と次の最初の解析シーケンスが単一の基本的な放送受信に基づいているので、付加的な解析、受信器の電力消費は、回避される。
【００４９】
実施例の機能は、経済性のような本発明の利益を後押しする。例えば、ＤＶＢ−Ｔは、データを配布する効果的で安い方法を提案し、たとえ放送システムに基づく無電力消費に従って部分的に作動する場合でも、本実施例は、放送データストリームのために少電力消費受信方法を助長する。
【００５０】
本発明の更なる実施例においては、ＨＰ／ＬＰストリームの分割を示す方法が述べられる。また、これは、階層的優先順位のマッピングをトランスポートストリームの中に通知する方法を提供する。デジタルブロードバンドネットワークシステム、または、そのようなシステムのオペレータは、ある順番で、ＮＩＴにトランスポートストリームを通知する。例えば、最初に、周波数や多重送信のためのＨＰ  ＴＳが通知される。次に、ＬＰ  ＴＳが対象となる周波数や多重送信のために通知される。従って、ＮＩＴは、順番のある位置が優先順位の内容と一致するある順番の中にあるＴＳを通知するようになっている。
【００５１】
本発明の特有の実施と実施例は、述べられた。本発明は上述した実施例の詳細に制限されないが、本発明の特徴から派生しない相当手段を用いて他の実施例において実行され得るのは、当業者には明らかである。本発明の範囲は、添付した特許請求項によってのみ制限される。結果的に、相当なものを含み、請求項によって決定されるような発明を実施する選択できるものは、本発明の範囲にも属する。
【図面の簡単な説明】
【００５２】
【図１】本発明の実施例に従って、トランスポートストリームを同調パラメータにマッピングするネットワーク情報テーブル（ＮＩＴ）例を示す図である。
【図２】本発明の実施例に従って、ＮＩＴおよび優先順位パラメータを解析する方法を、フローチャートの形式で表現する図である。
【図３】本発明の実施例に従って、異なる優先順位を有するトランスポートストリーム間の同調情報を分割する方法を、フローチャートの形式で表現する図である。
【図４】本発明の実施例に従って、階層的優先順位が階層的ブロードバンド伝送内のトランスポートストリームの中にマッピングする方法を、フローチャートの形式で表現する図である。
【図５】実施された本発明の原理が適用されるシステムの一般的なアーキテクチャを示す図である。
【図６】本発明の実施例に従って、階層的優先順位が異なるトランスポートストリームの中にどのようにマッピングするかを解析するための送信器の機能ブロック図を表現する図である。
【図１】
2006515132.tif 000006
【図２】
2006515132.tif 000007
【図３】
2006515132.tif 000008
【図４】
2006515132.tif 000009
【図５】
2006515132.tif 000010
【図６】
2006515132.tif 000011
【手続補正書】
【提出日】平成17年3月17日(2005.3.17)
【手続補正１】
【補正対象書類名】特許請求の範囲
【補正対象項目名】全文
【補正方法】変更
【補正の内容】
【特許請求の範囲】
【請求項１】
階層的変調を適用するデジタルブロードバンド伝送を伝送する方法において、該方法は、
階層的優先順位が前記デジタルブロードバンド伝送で搬送されるトランスポートストリームにどのようにマッピングされるようになっているかに関する情報を提供するステップを備える方法。
【請求項２】
請求項１に記載の方法において、該方法は、さらに、前記デジタルブロードバンド伝送の異なる優先順位を有する第２トランスポートストリームから前記トランスポートストリームを、該優先順位に基づいて分割するステップを備える方法。
【請求項３】
請求項１に記載の方法において、該方法は、さらに、
前記トランスポートストリームを識別する情報を解析するステップ、
前記優先順位を識別する情報を解析するステップ、
前記トランスポートストリームを前記優先順位にマッピングするために解析された情報を結合するステップを備える方法。
【請求項４】
請求項１に記載の方法において、前記優先順位は、前記トランスポートストリームが低い優先順位または高い優先順位を備えるかどうかを指示するようになっていて、該優先順位は、前記デジタルブロードバンド伝送の信号に関する情報の階層的追加に基づいている優先順位である方法。
【請求項５】
請求項１に記載の方法において、前記情報を提供するステップは、前記優先順位を指示するデジタルブロードバンド伝送の記述子を伝送するステップを備える方法。
【請求項６】
請求項１に記載の方法において、ネットワーク情報テーブルは、前記トランスポートストリームを識別するようになっており、かつ、該ネットワーク情報テーブルの記述子は、前記トランスポートストリームの前記優先順位を識別するようになっている方法。
【請求項７】
請求項６に記載の方法において、前記記述子は、前記ネットワーク情報テーブルの地上波配信システム記述子を有する方法。
【請求項８】
請求項７に記載の方法において、前記ネットワーク情報テーブルの前記地上波配信システム記述子の優先順位フラグは、前記優先順位を識別するようになっている方法。
【請求項９】
請求項６に記載の方法において、前記ネットワーク情報テーブルに含まれるトランスポートストリームＩＤ（transport_stream_id）およびオリジナルネットワークＩＤ（original_network_id）とも前記トランスポートストリームを独自に識別する方法。
【請求項１０】
請求項１に記載の方法において、少なくとも２つのデータストリームは単一のデジタルブロードバンド伝送の上で変調されるようになっている方法。
【請求項１１】
請求項１０に記載の方法において、前記２つのストリームは、高い優先順位のストリーム、および、低い優先順位のストリームを有する方法。
【請求項１２】
請求項１１に記載の方法において、前記高い優先順位のストリームは、前記低い優先順位ストリームより高いロバスト性を含む方法。
【請求項１３】
請求項１１に記載の方法において、前記低い優先順位のストリームは、前記高い優先順位ストリームより高いビット速度の符号化を含む方法。
【請求項１４】
請求項１に記載の方法において、前記デジタルブロードバンド伝送は、マルチキャリア信号伝送を有する方法。
【請求項１５】
請求項１に記載の方法において、前記デジタルブロードバンド伝送は、ＤＶＢ伝送を有する方法。
【請求項１６】
請求項１５に記載の方法において、前記ＤＶＢ伝送は、ＤＶＢ−Ｔ伝送を有する方法。
【請求項１７】
請求項１に記載の方法において、前記デジタルブロードバンド伝送は、ワイヤレスデジタルブロードバンド伝送を有する方法。
【請求項１８】
請求項１７に記載の方法において、前記ワイヤレスデジタルブロードバンド伝送は、モバイル受信のためのＤＶＢ−Ｔ伝送を有する方法。
【請求項１９】
階層的変調を適用するデジタルブロードバンド伝送を受信する方法において、該方法は、
階層的優先順位は、前記デジタルブロードバンド伝送で搬送されるトランスポートストリームにどのようにマッピングされるようになっているかの情報を獲得する手段を備える方法。
【請求項２０】
階層的デジタルブロードバンド伝送を伝送する方法において、該方法は、
前記階層的デジタルブロードバンド伝送のトランスポートストリームの優先順位を指示する情報を提供するステップを備える方法。
【請求項２１】
階層的デジタルブロードバンド伝送を受信する方法において、該方法は、
前記階層的デジタルブロードバンド伝送のトランスポートストリームの優先順位を指示する情報を獲得するステップを備える方法。
【請求項２２】
請求項２１に記載の方法において、前記情報を獲得するステップは、前記優先順位を指示する前記デジタルブロードバンド伝送の記述子を受信するステップを備える方法。
【請求項２３】
請求項２２に記載の方法において、ネットワーク情報テーブルは、前記トランスポートストリーム識別するようになっており、かつ、前記ネットワーク情報テーブルの記述子は、前記トランスポートストリームの前記優先順位を識別するようになっている方法。
【請求項２４】
請求項２３に記載の方法において、前記記述子は、前記ネットワーク情報テーブルの地上波配信システム記述子を有する方法。
【請求項２５】
請求項２４に記載の方法において、前記ネットワーク情報テーブルの前記地上波配信システム記述子の優先順位フラグは、前記優先順位を識別するようになっている方法。
【請求項２６】
請求項２３に記載の方法において、前記ネットワーク情報テーブルに含まれるトランスポートストリームＩＤ（transport_stream_id）、および、オリジナルネットワークＩＤ（original_network_id）とも前記トランスポートストリームを独自に識別する方法。
【請求項２７】
請求項１、１９、２０、または、２１に記載の方法のステップを実行する手段を備えるデータ処理システム。
【請求項２８】
前記プログラムがコンピュータ上で動かされる場合、請求項１、１９、２０、または、２１に記載の方法のステップを行うようになっているコンピュータプログラムコード手段を備えるコンピュータプログラム。
【請求項２９】
コンピュータ読取可能メディア上で実施される請求項２８に記載のコンピュータプログラム。
【請求項３０】
前記プログラムがコンピュータ上で動かされる場合、請求項１、１９、２０、または、２１に記載の方法を実行するようになっているプログラムコードを有するコンピュータ読取可能メディア。
【請求項３１】
請求項２８に記載のコンピュータ実行可能プログラムを運ぶ搬送メディア。
【請求項３２】
階層的変調を適用するデジタルブロードバンド伝送を提供するシステムにおいて、階層的優先順位は、前記デジタルブロードバンド伝送の中で搬送されるトランスポートストリームにどのようにマッピングされるようになっているかに関する情報を提供する手段を備えるシステム。
【請求項３３】
請求項３２に記載のシステムにおいて、前記手段は、前記優先順位の値を指示するビットフラグを有するシステム。
【請求項３４】
請求項３３に記載のシステムにおいて、前記ビットフラグは、前記デジタルブロードバンド伝送の番組配列情報に含まれるシステム。
【請求項３５】
請求項３４に記載のシステムにおいて、前記番組配列情報は、ネットワーク情報テーブルを備え、および、前記ビットフラグは、前記ネットワーク情報テーブルの中で参照されるシステム。
【請求項３６】
請求項３５に記載のシステムにおいて、前記ネットワーク情報テーブルは、記述子を備え、および、前記ビットフラグは、前記記述子の中で参照されるシステム。
【請求項３７】
請求項３６に記載のシステムにおいて、記述子は、地上波配信システム記述子を備え、および、前記ビットフラグは、前記地上波配信システム記述子に含まれるシステム。
【請求項３８】
階層的変調を適用するデジタルブロードバンド伝送を送信する送信器において、
階層的優先順位は、前記デジタルブロードバンド伝送の中で搬送されるトランスポートストリームにどのようにマッピングされるようになっているかに関する情報を提供する手段を備える送信器。
【請求項３９】
階層的変調を適用するデジタルブロードバンド伝送を受信する受信器において、
階層的優先順位は、前記デジタルブロードバンド伝送の中で搬送されるトランスポートストリームにどのようにマッピングされるようになっているかに関する情報を獲得する手段を備える受信器。
【請求項４０】
請求項３９に記載の受信器において、前記手段は、前記優先順位の値を指示するビットフラグを有する受信器。
【請求項４１】
請求項４０に記載の受信器において、前記ビットフラグは、前記デジタルブロードバンド伝送の番組配列情報の中に含まれる受信器。
【請求項４２】
請求項４１に記載の受信器において、前記番組配列情報は、ネットワーク情報テーブルを備え、かつ、前記ビットフラグは、該ネットワーク情報テーブルの中で参照される受信器。
【請求項４３】
請求項４２に記載の受信器において、前記ネットワーク情報テーブルは、記述子を備え、かつ、前記ビットフラグは、前記記述子の中で参照される受信器。
【請求項４４】
請求項４３に記載の受信器において、記述子は、地上波配信システム記述子を備え、かつ、前記ビットフラグは、地上波配信システム記述子の中に含まれる受信器。
【請求項４５】
請求項３９に記載の受信器において、前記受信器は、モバイル受信器を有する受信器。
【請求項４６】
請求項４５に記載の受信器において、前記受信器は、モバイルＤＶＢ−Ｔ受信器を有する受信器。
【請求項４７】
請求項４６に記載の受信器において、前記受信器は、さらに、インタラクションのためのモバイルステーションを有する受信器。
【請求項４８】
前記階層的デジタルブロードバンド伝送のトランスポートストリームの優先順位を指示する情報を提供する手段を備える階層的デジタルブロードバンド伝送を送信する送信器。
【請求項４９】
前記階層的デジタルブロードバンド伝送のトランスポートストリームの優先順位を指示する情報を獲得する手段を備える階層的デジタルブロードバンド伝送を受信する受信器。
【請求項５０】
少なくとも２以上の基本的に別個のデータ伝送は、単一のデジタルブロードバンド伝送に包含されるようになっているような方法で、デジタルブロードバンド伝送を送信する方法において、
前記包含された単一のデジタルブロードバンド伝送の中の組織のレベルは、前記デジタルブロードバンド伝送の中で搬送されるトランスポートストリームにどのようにマッピングされるようになっているかに関する情報を提供するステップを備える方法。
【請求項５１】
少なくとも２以上の基本的に別個のデータ伝送は、単一のデジタルブロードバンド伝送に包含されるようになっているような方法で、デジタルブロードバンド伝送を受信する方法において、
前記包含された単一のデジタルブロードバンド伝送の中の組織のレベルは、前記デジタルブロードバンド伝送の中で搬送されるトランスポートストリームにどのようにマッピングされるようになっているかに関する情報を獲得するステップを備える方法。
【国際調査報告】
2006515132.tif 000012
2006515132.tif 000013